(57)【特許請求の範囲】
【請求項１】
壁部で仕切られた居室間での床振動の伝播を防止する振動絶縁構造であって、
前記壁部に沿った目地部を形成する床パネルと、前記目地部に充填された目地モルタルと、前記目地部内に配置され、且つ前記目地モルタルを堰き止める振動絶縁部材と、を備え、
前記床パネルは、前記目地部下方の梁部の上面に支持されており、
前記振動絶縁部材は、前記目地モルタルを一方の居室側と他方の居室側とに分断すると共に、前記目地部内に、前記目地部に沿った隙間を形成することを特徴とする振動絶縁構造。
【請求項２】
前記振動絶縁部材は、屈曲部を介して結合する一対の堰板部を有する屈曲板状であり、
一方の前記堰板部は前記一方の居室側の目地モルタルを堰き止め、他方の前記堰板部は前記他方の居室側の目地モルタルを堰き止め、
前記堰板部同士の間に前記目地部を分断する隙間が形成されていることを特徴とする請求項１記載の振動絶縁構造。
【請求項３】
前記屈曲部には、長手方向に沿って断続的に形成された複数のスリットが設けられていることを特徴とする請求項２記載の振動絶縁構造。
【請求項４】
前記堰板部は、前記屈曲部側の基端部分と自由端側の先端部分とを有し、
前記先端部分には、外側に張り出して前記床パネルの端面に接触するズレ止め片が形成されることを特徴とする請求項２または３記載の振動絶縁構造。
【請求項５】
壁部に沿った目地部を形成すると共に、前記目地部下方の梁部の上面に支持された床パネルと、前記目地部に充填された目地モルタルと、を備えた床に用いられ、前記壁部で仕切られた居室間での床振動の伝播を防止するための部材であって、
屈曲部を介して結合する一対の堰板部を有する屈曲板状であり、
一方の前記堰板部は前記一方の居室側の目地モルタルを堰き止め、他方の前記堰板部は前記他方の居室側の目地モルタルを堰き止め、
前記堰板部同士の間に前記目地部を分断する隙間が形成されていることを特徴とする請求項１記載の振動絶縁部材。
【請求項６】
前記屈曲部には、長手方向に沿って断続的に形成された複数のスリットが設けられていることを特徴とする請求項５記載の振動絶縁部材。
【請求項７】
前記堰板部は、前記屈曲部側の基端部分と自由端側の先端部分とを有し、前記先端部分には、外側に張り出して前記床パネルの端面に接触するズレ止め片が形成されていることを特徴とする請求項５または６記載の振動絶縁部材。
【発明の詳細な説明】
【技術分野】
【０００１】
本発明は、間仕切り壁や界壁などの壁部によって仕切られた居室間での床振動の伝播を防止する振動絶縁構造、及び該振動絶縁構造に用いられる振動絶縁部材に関する。
【背景技術】
【０００２】
複数の住戸が界壁によって区切られている集合住宅などが知られている（特許文献１参照）。ここで、住宅の床にＡＬＣからなる床パネルを用いた場合、ＲＣ造の床に比べて剛性が小さいので床の振動が伝播されやすく、居室間の間仕切り壁や集合住宅における住戸間の界壁の遮音性が優れていても、床を経由して振動が伝播され、居室間や住戸間の遮音性を低下させる原因となっていた。
【０００３】
ここで、床パネル上にモルタルを打設し、床の剛性を上げることで振動を抑制することは可能だが、床の仕上りレベルが高くなってしまい、天井高が犠牲になったり、あるいは手間やコストが増したりするといった問題がある。特に、１階の床の場合は、断熱性向上のため、床パネルと床仕上げ材との間に断熱層を設けたいという要求もあり、モルタルを打設することが憚られる。
【０００４】
一方で、特許文献２には、間仕切壁直下の複合板に目透かし目地（隙間が形成された目地）を形成することで、隣室間の振動伝達経路の遮断を図るように構成された床構造が開示されている。
【先行技術文献】
【特許文献】
【０００５】
【特許文献１】特開２００１−２１４５２２号公報
【特許文献２】特開２００９−１４４３５０号公報
【発明の概要】
【発明が解決しようとする課題】
【０００６】
しかしながら、ＡＬＣからなる床パネルの目地部にモルタルを充填せずに隙間を空けた状態とするのは床のずれ防止という観点から好ましくなく、仮に、ロックウールなどの綿状の材料を充填して隙間を塞いだとしても床のずれ防止という点での改善にはならない。つまり、実用的には床パネルの目地部に目地モルタルを充填することは必要であり、結果として、居室間での床振動の伝播を防止することは難しかった。
【０００７】
本発明は、床パネルの目地部に目地モルタルを充填する必要がある床において、隣接する床パネル同士を絶縁することで、壁部を挟んで隣り合う居室間での床振動の伝播を防止する振動絶縁構造、及び振動絶縁部材を提供することを目的とする。
【課題を解決するための手段】
【０００８】
本発明は、間仕切り壁や界壁などの壁部によって仕切られた居室間での床振動の伝播を防止する振動絶縁構造であって、壁部に沿った目地部を形成する床パネルと、目地部に充填された目地モルタルと、目地部内に配置され、且つ目地モルタルを堰き止める振動絶縁部材と、を備え、床パネルは、目地部下方の梁部の上面に支持されており、振動絶縁部材は、目地モルタルを一方の居室側と他方の居室側とに分断すると共に、目地部内に、目地部に沿った隙間を形成することを特徴とする。
【０００９】
本発明では、振動絶縁部材によって目地部に沿った隙間が形成されて、目地モルタルが分断されるので、一方の居室側から他方の居室側、及び、その逆方向への振動の伝播が防止される。その結果、隣接する居室間での床振動の伝播が防止される。
【００１０】
さらに、振動絶縁部材は、屈曲部を介して結合する一対の堰板部を有する屈曲板状部材であり、一方の堰板部は一方の居室側の目地モルタルを堰き止め、他方の堰板部は他方の居室側の目地モルタルを堰き止め、堰板部同士の間に目地部を分断する隙間が形成されていると好適である。振動絶縁部材の一方の堰板部で一方の居室側の目地モルタルを堰き止め、他方の堰板部で他方の居室側の目地モルタルを堰き止めることで、堰板部同士の間には目地部を分断する隙間が簡単に形成される。
【００１１】
さらに、屈曲部には、長手方向に沿って断続的に形成された複数のスリットが設けられていると好適である。断続的に形成された複数のスリットを設けることで、屈曲部を介しての振動の伝播を低減できる。
【００１２】
さらに、堰板部は、屈曲部側の基端部分と自由端側の先端部分とを有し、先端部分には、外側に張り出して床パネルの端面に接触するズレ止め片が形成されていると好適である。目地モルタルが打設されて硬化するまでの間、ズレ止め片によって位置ずれを防いで所定位置に保持できる。
【００１３】
また、本発明に係る振動絶縁部材は、壁部に沿った目地部を形成すると共に、目地部下方の梁部の上面に支持された床パネルと、目地部に充填された目地モルタルと、を備えた床に用いられ、壁部で仕切られた居室間での床振動の伝播を防止するための部材であって、屈曲部を介して結合する一対の堰板部を有する屈曲板状であり、一方の堰板部は一方の居室側の目地モルタルを堰き止め、他方の堰板部は他方の居室側の目地モルタルを堰き止め、堰板部同士の間に目地部を分断する隙間が形成されることを特徴とする。
【００１４】
この振動絶縁部材を目地部内に設置することで、目地部内の目地モルタルを分断できる。その結果、一方の居室側から他方の居室側、及び、その逆方向への振動の伝播が防止され、隣接する居室間での床振動の伝播が防止される。
【００１５】
さらに、この屈曲部には、長手方向に沿って断続的に形成された複数のスリットが設けられていると好適である。断続的に形成された複数のスリットを設けることで、屈曲部を介しての振動の伝播を防止できる。
【００１６】
さらに、堰板部は、屈曲部側の基端部分と自由端側の先端部分とを有し、先端部分には、外側に張り出して床パネルの端面に接触するズレ止め片が形成されていると好適である。目地モルタルが打設されて硬化するまでの間、ズレ止め片によって位置ずれを防いで所定位置に保持できる。
【発明の効果】
【００１７】
本発明によれば、床パネルの目地部に目地モルタルを充填する必要がある床において、隣接する床パネル同士を絶縁することで、壁部を挟んで隣り合う居室間での床振動の伝播を防止できる。
【図面の簡単な説明】
【００１８】
【図１】本発明の実施形態に係る振動絶縁構造が採用された集合住宅を模式的に示す平断面図である。
【図２】図１のＩＩ−ＩＩ線に沿った断面図であり、第１実施形態に係る振動絶縁構造の断面図である。
【図３】絶縁金物となる鋼板の展開した状態を示す平面図である。
【図４】絶縁金物を示し、（ａ）は斜視図であり、（ｂ）は長手方向に直交する方向に沿って切断した断面図である。
【図５】振動絶縁構造の施工工程を示す図で有り、（ａ）は目地部内に絶縁金物を差し入れている状態を示す図であり、（ｂ）は目地部に目地モルタルを打設している状態を示す図である。
【図６】本発明の第２実施形態に係る振動絶縁構造の断面図である。
【発明を実施するための形態】
【００１９】
以下、本発明の好適な実施形態について図面を参照しながら説明する。
（第１実施形態）
【００２０】
本発明の第１実施形態に係る振動絶縁構造について、図１、及び図２を参照して説明する。振動絶縁構造１Ａは、例えば、一棟に複数の住戸Ｂａ，Ｂｂ，Ｂｃを備えた集合住宅Ｂなどに採用可能である。
【００２１】
各住戸Ｂａ，Ｂｂ，Ｂｃには一または複数の居室２ａ，２ｂ，２ｃが設けられており、居室２ａ，２ｂ，２ｃの床３は、複数の床パネル５，７が敷き並べられて構成されている。床パネル５，７は、例えば、軽量気泡コンクリート（ＡＬＣ）製の矩形のパネルであり、ＲＣ造の基礎梁や鉄骨からなる横架材などの梁部９に端部が係るように配置されている。なお、本実施形態では、ＲＣ造の基礎梁からなる梁部９に床パネル５，７の短辺５ａ，７ａが支持されている態様を例に説明する。
【００２２】
複数の床パネル５，７の継ぎ目には目地部１１が形成され、目地部１１には目地モルタル１３が打設されている。また、床パネル５，７の上には、床断熱スタイロ１５、合板１６、防音用の寄木１７などが積層されて断熱層１８が形成されている。
【００２３】
各住戸Ｂａ，Ｂｂ間で隣接する居室２ａ，２ｂ同士は界壁（壁部）２１によって仕切られている。界壁２１は、一対の石膏ボード、一対の石膏ボード間で石膏ボードを支持するスタッド、石膏ボード同士の間に収容された断熱材等を備えた耐火スタッド型の壁であり、耐火性や遮音性に優れている。
【００２４】
隣接する居室２ａ，２ｂそれぞれの床パネル５，７は、界壁２１の下方で界壁２１に沿った目地部１１を形成している。目地部１１内には、断面Ｖ字状で長尺の絶縁金物（振動絶縁部材）２３が配置されており、絶縁金物２３の周囲には目地部１１を塞ぐように目地モルタル１３が打設されている。
【００２５】
図３、及び図４に示されるように、絶縁金物２３は、矩形の鋼板Ｐを折り曲げて形成された屈曲板状である。鋼板Ｐには、長手方向に沿って断続的に形成された複数のスリット２５がミシン目のように設けられており、絶縁金物２３は、スリット２５が並んだ直線を折り目にして屈曲形成されている。絶縁金物２３は、折り目となる屈曲部２７と、屈曲部２７で結合された一対の堰板部２８Ａ，２８Ｂとを有する。
【００２６】
堰板部２８Ａ，２８Ｂは、一対の長辺部分と一対の短辺部分とを有する。屈曲部２７側である一方の長辺部分は、実質的には屈曲部２７に一体化している仮想的な直線部分（基端部分）２８ａであり、他方の長辺部分は自由端側となる先端部分２８ｂである。堰板部２８Ａ，２８Ｂの先端部分２８ｂには、複数の突出フィン（ズレ止め片）２９が形成されている。突出フィン２９は、先端部分２８ｂに二本の切り込みを入れて短冊状の短片を形成し、この短片を外側に張り出すように谷折りすることで形成されている。
【００２７】
図２、及び図５に示されるように、振動絶縁構造１Ａは、住戸Ｂａ，Ｂｂの隣り合う居室２ａ，２ｂ同士の間で床振動が伝播されるのを防止するための床構造である。住戸Ｂａ，Ｂｂの境界に設けられた梁部９上には、一方の住戸Ｂａの居室２ａ側の床パネル５の支持辺（短辺）５ａと、他方の住戸Ｂｂの居室２ｂ側の床パネル７の支持辺（短辺）７ａとが係止されている。一方の床パネル５の短辺５ａと他方の床パネル７の短辺７ａとの間には、１５〜２０ｍｍ程度の隙間が形成されており、この隙間が界壁２１に沿った目地部１１になる。
【００２８】
目地部１１には、絶縁金物２３が屈曲部２７を上にした状態で差し込まれる。絶縁金物２３の両方の堰板部２８Ａ，２８Ｂには、複数の突出フィン２９が設けられており、突出フィン２９は、絶縁金物２３の差し込みに連動して床パネル５，７の端面を摺動する。絶縁金物２３を目地部１１の底まで差し込んだ状態において、突出フィン２９は床パネル５，７の端面に干渉（接触）している。その結果、突出フィン２９は絶縁金物２３の抜け止め作用を奏し、目地モルタル１３が打設されて硬化するまでの間、絶縁金物２３の位置ずれを防いで所定位置に保持する役目を担う。
【００２９】
絶縁金物２３を目地部１１内の所定位置にセットした後、目地モルタル１３を目地部１１内に打設する。目地モルタル１３は、絶縁金物２３の一方の堰板部２８Ａと一方の床パネル５の端面との間の隙間に充填され、また、絶縁金物２３の他方の堰板部２８Ｂと他方の床パネル７の端面との間の隙間に充填される。ここで、目地モルタル１３は、一対の堰板部２８Ａ，２８Ｂ同士の間（絶縁金物２３の内側）に形成される略三角柱状の空間内には充填されず、目地部１１の長手方向に沿った隙間Ｓが形成される。その結果、目地モルタル１３は、絶縁金物２３によって一方の居室２ａ側と他方の居室２ｂ側との間で分断された状態になり、目地モルタル１３を介しての床振動の伝播が遮断される。
【００３０】
なお、絶縁金物２３の内側には、例えば、突出フィン２９の形成によって生じる僅かな隙間などから目地モルタル１３が入り込む可能性がある。しかしながら、絶縁金物２３の内側に入り込む目地モルタル１３の量は、ごく僅かで、隙間Ｓを埋め尽くすほどではないため、床振動の伝播防止という点で、実質的な影響は無いと考えられる。
【００３１】
目地部１１内に充填された目地モルタル１３のうち、一方の居室２ａ側の目地モルタル１３は、絶縁金物２３の一方の堰板部２８Ａに堰き止められた状態で固化し、他方の居室２ｂ側の目地モルタル１３は、他方の堰板部２８Ｂに堰き止められた状態で固化する。ここで、一方の堰板部２８Ａと他方の堰板部２８Ｂとは、屈曲部２７を介して一体化しているため、堰板部２８Ａ，２８Ｂ同士が互いにずれることはない。したがって、目地モルタル１３を介して堰板部２８Ａ，２８Ｂそれぞれに固定された床パネル５，７同士のズレも抑えられる。
【００３２】
さらに、絶縁金物２３の屈曲部２７には、折り目に沿った複数のスリット２５が形成されており、一対の堰板部２８Ａ，２８Ｂ同士は、スリット２５が形成されていない橋部分２６を介して結合された状態になっている。従って、絶縁金物２３の屈曲部２７から僅かに床振動が伝播されるとしても、一列に並んだスリット２５によって、実質的には、振動のほとんどが遮断され、橋部分２６を介しての限定的な伝播に留まるので、床振動の伝播防止に効果的である。
【００３３】
以上、第１実施形態に係る振動絶縁構造１Ａによれば、絶縁金物（振動絶縁部材）２３によって目地部１１に沿った隙間Ｓが形成されて、目地モルタル１３が分断されるので、一方の居室２ａ側から他方の居室２ｂ側、及び、その逆方向への振動の伝播が防止される。その結果、隣接する居室２ａ，２ｂ間での床振動の伝播が防止される。
【００３４】
次に、図６を参照して、本発明の第２実施形態に係る振動絶縁構造１Ｂについて説明する。なお、本実施形態に係る振動絶縁構造１Ｂは、第１実施形態に係る振動絶縁構造１Ａと同様の要素を備えているため、同様の要素には同一の符号を付して詳細な説明は省略する。
【００３５】
住戸Ｂａ，Ｂｂ間の境界には梁部９が配置されており、一方の住戸Ｂａの居室２ａ側の床パネル３１は長辺３１ａが梁部９に支えられており、他方の住戸Ｂｂの居室２ｂ側の床パネル３３は短辺３３ａが梁部９に支えられている。床パネル３１，３３の長辺３１ａには目地モルタル１３を受ける切り欠き部３１ｂが長手方向に沿って形成されている。本実施形態では、一方の床パネル３１の長辺３１ａは梁部９の中心線ＣＬに沿って配置されており、他方の床パネル３３の短辺３３ａは、一方の床パネル３１の長辺３１ａから１５〜２０ｍｍ程度の隙間を空けて配置されている。この隙間によって界壁２１に沿った目地部３５が形成される。
【００３６】
絶縁金物（振動絶縁部材）２３は、矩形の鋼板Ｐ（図３参照）を折り曲げて形成されている。鋼板Ｐには、長手方向に沿って断続的に形成された複数のスリット２５がミシン目のように設けられており、絶縁金物２３は、スリット２５が並んだ直線を折り目にして屈曲形成されている。絶縁金物２３は、折り目となる屈曲部２７と、屈曲部２７で結合された一対の堰板部２８Ａ，２８Ｂとを有する。
【００３７】
一対の堰板部２８Ａ，２８Ｂのうち、一方の堰板部２８Ｂの先端部分には、複数の突出フィン（ズレ止め片）２９が形成されている。突出フィン２９は、先端部分に二本の切り込みを入れて短冊状の短片を形成し、この短片を外側に張り出すように谷折りすることで形成されている。
【００３８】
絶縁金物２３は、屈曲部２７を上にした状態で目地部３５内に差し込まれる。絶縁金物２３は、一方の堰板部２８Ｂにのみ突出フィン２９が設けられている。絶縁金物２３は、突出フィン２９が設けられていない側の堰板部２８Ａが一方の床パネル３１の長辺３１ａに当接し、堰板部２８Ｂの突出フィン２９が他方の床パネル３３の短辺３３ａに当接する。絶縁金物２３を目地部３５の底まで差し込んだ状態において、突出フィン２９は床パネル３３の端面に干渉しており、その結果、絶縁金物２３の抜け止め作用を奏し、目地モルタル１３が打設されて硬化するまでの間、絶縁金物２３の位置ずれを防いで所定位置に保持する役目を担う。
【００３９】
絶縁金物２３を目地部１１内の所定位置にセットした後、目地モルタル１３を目地部１１内に打設する。目地モルタル１３は、絶縁金物２３の一方の堰板部２８Ａと一方の床パネル３１の切り欠き部３１ｂとの間に形成される隙間に充填され、また、絶縁金物２３の他方の堰板部２８Ｂと他方の床パネル３３の端面との間の隙間に充填される。ここで、目地モルタル１３は、一対の堰板部２８Ａ，２８Ｂ同士の間（絶縁金物２３の内側）に形成される略三角柱状の空間内には充填されず、目地部３５の長手方向に沿った隙間Ｓが形成される。その結果、目地モルタル１３は、絶縁金物２３によって一方の居室２ａ側と他方の居室２ｂ側との間で分断された状態になり、目地モルタル１３を介しての床振動の伝播が遮断される。
【００４０】
第２実施形態に係る振動絶縁構造１Ｂによれば、絶縁金物（振動絶縁部材）２３によって目地部１１に沿った隙間Ｓが形成されて、目地モルタル１３が分断されるので、一方の居室２ａ側から他方の居室２ｂ側、及び、その逆方向への振動の伝播が防止される。その結果、隣接する居室２ａ，２ｂ間での床振動の伝播が防止される。
【００４１】
以上、本発明について各実施形態に基づいて説明したが、本発明は、上記の各実施形態のみに限定されるものではない。例えば、上記の実施形態では、振動絶縁部材として板状部材を折り曲げた絶縁金物を例に説明したが、目地モルタルに固定可能で、且つ形状安定性が高くて内側に目地部に沿った隙間を形成できる態様であればよく、樹脂製などであってもよい。
【符号の説明】
【００４２】
１Ａ，１Ｂ…振動絶縁構造、２ａ…一方の居室、２ｂ…他方の居室、３…床、５，３１…一方の居室側の床パネル、７，３３…他方の居室側の床パネル、１１，３５…目地部、１３…目地モルタル、２１…界壁（壁部）、２３…振動絶縁部材（絶縁金物）、２５…スリット、２７…屈曲部、２８Ａ，２８Ｂ…堰板部、２８ａ…基端部分、２８ｂ…先端部分、２９…突出フィン（ズレ止め片）、Ｓ…目地部を分断する隙間。
【図１】
0005755912.tif 000002
【図２】
0005755912.tif 000003
【図３】
0005755912.tif 000004
【図４】
0005755912.tif 000005
【図５】
0005755912.tif 000006
【図６】
0005755912.tif 000007